(57)【要約】【課題】保存されたファイルデータのうち、保持することを継続的に明示したもの意外を削除して、ファイルデータを保存する領域を自動で確実に確保することを可能とする。【解決手段】本願発明のファイル記憶装置は、ファイルデータと、当該ファイルデータを保存することを表す保持フラグを関連付けて記憶する記憶手段と、所定の時刻に前記保持フラグが示す値を参照し、その結果、当該保持フラグがセットされていない場合、当該保持フラグに関連する前記ファイルデータを削除し、当該保持フラグがセットされている場合、当該保持フラグをリセットするファイル管理手段と、を備える。【選択図】      図１
2014215789.tif 000002
【特許請求の範囲】
【請求項１】
ファイルデータと、当該ファイルデータを保存することを表す保持フラグとを関連付けて記憶する記憶手段と、
所定の時刻に前記保持フラグが示す値を参照し、その結果、当該保持フラグがセットされていない場合、当該保持フラグに関連する前記ファイルデータを削除し、当該保持フラグがセットされている場合、当該保持フラグをリセットするファイル管理手段と、
を備えるファイル記憶装置。
【請求項２】
前記記憶手段は、前記ファイルデータの保持期間を表す値を、当該ファイルデータに関連付けてさらに記憶し、
前記ファイル管理手段は、前記保持フラグの値を参照する際に、前記保持期間を表す値を、前回前記保持フラグが示す値を参照したときからの経過時間を減算した値に更新し、更新後の前記保持期間の値が０より大きい場合は、当該保持期間に関連する前記保持フラグをリセットすることを保留する、
請求項１に記載のファイル記憶装置。
【請求項３】
前記記憶手段は、前記ファイルデータの管理者を識別可能な識別情報と、前記管理者のメールアドレスを、当該ファイルデータに関連付けてさらに記憶し、
前記ファイル管理手段は、前記保持フラグがセットされていない前記ファイルデータの前記管理者の前記メールアドレスに、前記ファイルデータを識別可能な識別情報を所定の時刻に通知する、
請求項１または２に記載のファイル記憶装置。
【請求項４】
請求項１乃至３の何れかに記載のファイル記憶装置と、前記ファイル記憶装置へアクセスするクライアント端末装置と、を包含するファイル記憶システム。
【請求項５】
ファイルデータと、当該ファイルデータを保存することを表す保持フラグとを関連付けて記憶域に記憶し、
所定の時刻に前記保持フラグが示す値を参照し、その結果、当該保持フラグがセットされていない場合、当該保持フラグに関連する前記ファイルデータを削除し、当該保持フラグがセットされている場合、当該保持フラグをリセットする、
ファイル記憶方法。
【請求項６】
前記ファイルデータの保持期間を表す値を、当該ファイルデータに関連付けてさらに前記記憶域に記憶し、
前記保持フラグの値を参照する際に、前記保持期間を表す値を、前回前記保持フラグが示す値を参照したときからの経過時間を減算した値に更新し、更新後の前記保持期間の値が０より大きい場合は、当該保持期間に関連する前記保持フラグをリセットすることを保留する、
請求項５に記載のファイル記憶方法。
【請求項７】
前記ファイルデータの管理者を識別可能な識別情報と、前記管理者のメールアドレスを、当該ファイルデータに関連付けてさらに前記記憶域に記憶し、
前記保持フラグがセットされていない前記ファイルデータの前記管理者の前記メールアドレスに、前記ファイルデータを識別可能な識別情報を所定の時刻に通知する、
請求項５または６に記載のファイル記憶方法。
【請求項８】
ファイルデータと、当該ファイルデータを保存することを表す保持フラグとを関連付けて記憶域に記憶する記憶処理と、
所定の時刻に前記保持フラグが示す値を参照し、その結果、当該保持フラグがセットされていない場合、当該保持フラグに関連する前記ファイルデータを削除し、当該保持フラグがセットされている場合、当該保持フラグをリセットするファイル管理処理と、
をコンピュータに実行させるファイル記憶プログラム。
【請求項９】
前記ファイルデータの保持期間を表す値を、当該ファイルデータに関連付けてさらに前記記憶域に記憶する前記記憶処理と、
前記保持フラグの値を参照する際に、前記保持期間を表す値を、前回前記保持フラグが示す値を参照したときからの経過時間を減算した値に更新し、更新後の前記保持期間の値が０より大きい場合は、当該保持期間に関連する前記保持フラグをリセットすることを保留する前記ファイル管理処理と、
をコンピュータに実行させる請求項８に記載のファイル記憶プログラム。
【請求項１０】
前記ファイルデータの管理者を識別可能な識別情報と、前記管理者のメールアドレスを、当該ファイルデータに関連付けてさらに前記記憶域に記憶する前記記憶処理と、
前記保持フラグがセットされていない前記ファイルデータの前記管理者の前記メールアドレスに、前記ファイルデータを識別可能な識別情報を所定の時刻に通知する前記ファイル管理処理と、
をコンピュータに実行させる請求項８または９に記載のファイル記憶プログラム。
【発明の詳細な説明】
【技術分野】
【０００１】
本願発明は、ファイルデータを記憶する領域を確保するファイル記憶装置等に関する。
【背景技術】
【０００２】
一般に、汎用ファイルサーバにおいては、大勢のユーザが、多種多様な多数のファイルデータ（本願では、ファイルを構成するデータをファイルデータと記載）を、さまざまな範囲のユーザ向けに無秩序に配置することが可能である。それにより柔軟にファイルデータの共有が出来る反面、保存されているファイルデータのうち、真に保存が必要なファイルデータを判別することは、利用者本人以外には極めて困難である。
【０００３】
加えて、近年のストレージコストの低廉化やユーザ数の増加によって、生成されるファイルデータ数も増加しているので、ファイルサーバには作成者・利用者本人自身でも削除してよいかどうか判断することができないファイルが大量に蓄積し、結果としてファイルサーバが記憶可能な容量の逼迫を招いている。
【０００４】
したがって、ファイルサーバから不要なファイルデータを的確に削除して、ファイルサーバが記憶可能な容量の逼迫を解消するための技術が求められている。
【０００５】
このような技術に関連する技術として、特許文献１には、保存期間を満了したファイルデータを削除可能対象としてよいかを、複数のファイル管理装置に問い合わせることにより、自システムが計時している時刻が不正である場合でも、ファイルデータの意図しない削除を行わない装置が公開されている。
【０００６】
また、特許文献２には、録画済情報（１以上のＶＴＳ（Ｖｉｄｅｏ  Ｔｉｔｌｅ  Ｓｅｔ））のうち、一度再生したＶＴＳには再生済フラグを立て、消去したくないＶＴＳにはアーカイブフラグを立て、再生済フラグが立っておりアーカイブフラグが立っていないＶＴＳだけを選択的に削除することにより、記録可能時間を拡大したシステムが公開されている。
【先行技術文献】
【特許文献】
【０００７】
【特許文献１】特開2005-275774号公報
【特許文献２】特開平11-176096号公報
【発明の概要】
【発明が解決しようとする課題】
【０００８】
不要なファイルデータを的確に削除するためには、消去したくないファイルデータについて保存を指示するフラグをセットするなどして不要なファイルデータを明確にした後で、ファイルの削除処理を行う必要がある。この場合、一旦フラグがセットされたファイルデータがその後放置され、実際には当該ファイルデータが不要になった後も、当該フラグのリセットが行われないことが多い。したがって、不要となった当該ファイルデータが消去されずにファイルサーバ内に保存され続けることになるため、ファイルサーバが記憶可能な容量が逼迫する問題が発生する。前述の特許文献１乃至２は、上述の問題を解決することができない。
【０００９】
本願発明の主たる目的は、上述の問題を解決した、ファイル記憶装置、ファイル記憶システム、ファイル記憶方法、及び、ファイル記憶プログラムを提供することである。
【課題を解決するための手段】
【００１０】
本願発明の一実施形態のファイル記憶装置は、ファイルデータと、当該ファイルデータを保存することを表す保持フラグとを関連付けて記憶する記憶手段と、所定の時刻に前記保持フラグが示す値を参照し、その結果、当該保持フラグがセットされていない場合、当該保持フラグに関連する前記ファイルデータを削除し、当該保持フラグがセットされている場合、当該保持フラグをリセットするファイル管理手段と、を備える。
【００１１】
本願発明の一実施形態のファイル記憶方法は、ファイルデータと、当該ファイルデータを保存することを表す保持フラグとを関連付けて記憶域に記憶し、所定の時刻に前記保持フラグが示す値を参照し、その結果、当該保持フラグがセットされていない場合、当該保持フラグに関連する前記ファイルデータを削除し、当該保持フラグがセットされている場合、当該保持フラグをリセットする。
【００１２】
本願発明の一実施形態のファイル記憶プログラムは、ファイルデータと、当該ファイルデータを保存することを表す保持フラグとを関連付けて記憶域に記憶する記憶処理と、所定の時刻に前記保持フラグが示す値を参照し、その結果、当該保持フラグがセットされていない場合、当該保持フラグに関連する前記ファイルデータを削除し、当該保持フラグがセットされている場合、当該保持フラグをリセットするファイル管理処理と、をコンピュータに実行させる。
【発明の効果】
【００１３】
本願発明は、保存されたファイルデータのうち、保持することを継続的に明示したファイルデータ意外を削除することにより、ファイルデータを保存する領域を自動で確実に確保することを可能とする。
【図面の簡単な説明】
【００１４】
【図１】本願発明の第１の実施形態のファイル記憶システムの構成を示すブロック図である。
【図２】本願発明の第１実施形態の動作を示すフローチャートである。
【図３】本願発明の第２の実施形態のファイル記憶装置の構成を示すブロック図である。
【図４】本願発明の第１、及び、第２の実施形態のファイル記憶装置を実行可能な情報処理装置の構成を示すブロック図である。
【発明を実施するための形態】
【００１５】
本願発明の第１の実施の形態について図面を参照して詳細に説明する。
【００１６】
図１は本実施形態のファイル記憶システム１の構成を示すブロック図である。本実施形態のファイル記憶システム１は、ファイル記憶装置１０と、クライアント端末装置２０−１乃至２０−ｎ（ｎは１以上の整数）と、を有している。
【００１７】
ファイル記憶装置１０は、記憶部１１と、ファイル管理部１２と、を備えている。記憶部１１は、電子回路、あるいは、コンピュータプログラムによりアクセス制御される磁気ディスク等の電子デバイスである。ファイル管理部１２は、電子回路の場合もあれば、コンピュータプログラムの場合もある。
【００１８】
記憶部１１は、ファイル管理レコード１１０−１乃至１１０−ｍ（ｍは１以上の整数）と、ファイルデータ１１１−１乃至１１１−ｍと、管理者メールアドレス管理テーブル１１２の各情報を記憶している。ファイルデータ１１１−１乃至１１１−ｍは、クライアント端末２０−１乃至２０−ｎからアクセスされるファイルのデータである。
【００１９】
ファイル管理レコード１１０−１乃至１１０−ｍは、それぞれ、ファイルデータ１１１−１乃至１１１−ｍを管理する情報であり、ファイル識別子１１００−１乃至１１００−ｍと、保持フラグ１１０１−１乃至１１０１−ｍと、保持期間１１０２−１乃至１１０２−ｍと、管理者１１０３−１乃至１１０３−ｍの各情報を包含している。
【００２０】
ファイル識別子１１００−１乃至１１００―ｍは、それぞれ、ファイルデータ１１１−１乃至１１１−ｍを識別可能な情報であり、例えばファイル名である。保持フラグ１１０１−１乃至１１０１−ｍは、それぞれ、ファイルデータ１１１−１乃至１１１−ｍを記憶部１１に保存しておくことを指示するフラグである。保持フラグ１１０１−１乃至１１０１−ｍは、クライアント端末２０−１乃至２０−ｎを介して、ファイルデータ１１１−１乃至１１１−ｍの管理者によりセットされ、ファイル管理部１２によりリセットされる。
【００２１】
保持期間１１０２−１乃至１１０２−ｍは、それぞれ、ファイルデータ１１１−１乃至１１１−ｍを保存しておきたい期間のデータ、例えば保持日数である。保持期間１１０２−１乃至１１０２−ｍは、クライアント端末２０−１乃至２０−ｎを介して、ファイルデータ１１１−１乃至１１１−ｍの管理者により設定される。管理者１１０３−１乃至１１０３−ｍは、それぞれ、ファイルデータ１１１−１乃至１１１−ｍを管理する管理者を識別可能な識別情報である。
【００２２】
管理者メールアドレス管理テーブル１１２は、管理者１１０３−１乃至１１０３−ｍと、各々の管理者のメールアドレスを関連付けて記憶した管理テーブルである。
【００２３】
ファイル管理部１２は、ファイル管理レコード１１０−１乃至１１０−ｍにおける各情報が示す値の設定や削除、及び、ファイルデータ１１１−１乃至１１１−ｍの削除を行う。
【００２４】
ファイル管理部１２は、タイマ１２０を包含している。タイマ１２０は、ファイル管理部１２によるファイルデータ１１１−１乃至１１１−ｍを削除する処理を実行する周期、例えば１日をカウントして、削除処理を開始する時刻を検知する。ファイル管理部１２は、タイマ１２が検知した結果を受けてファイルデータ１１１−１乃至１１１−ｍを削除する処理を開始し、ファイル管理レコード１１０−１乃至１１０−ｍを参照する。
【００２５】
ファイル管理部１２は、保持フラグ１１０１−ｉ（ｉは１乃至ｍのいずれかの整数）が示す値が０である場合、ファイル管理レコード１１０−ｉと、ファイルデータ１１１−ｉを削除する。
【００２６】
ファイル管理部１２は、保持フラグ１１０１−ｉが示す値が１である場合、保持期間１１０２−ｉから１を減算する。ファイル管理部１２は、減算後の保持期間１１０２−ｉが示す値が０以下になった場合、保持フラグ１１０１−ｉが示す値を０に更新する。ファイル管理部１２は、保持フラグ１１０１−ｉが示す値が０である場合、管理者１１０３−ｉが示す値を検索キーとして管理者メールアドレス管理テーブル１１２を参照することにより、管理者１１０３−ｉのメールアドレスを入手する。ファイル管理部１２は、入手したメールアドレスに対して、ファイル識別子１１００−ｉで特定されるファイルデータ１１１−ｉが、次回の削除処理の際に削除される予定であることを通知する。
【００２７】
次に図２のフローチャートを参照して、本実施形態の動作について詳細に説明する。
【００２８】
タイマ１２０は、ファイル管理部１２によるファイルデータ１１１−１乃至１１１−ｍの削除処理を開始する時刻になったことを検知する（Ｓ１０１）。ファイル記憶システム１は、１乃至ｍの値をとる整数ｉについて、Ｓ１０３からＳ１０９までのループ処理に入る（Ｓ１０２）。
【００２９】
ファイル管理部１２は、保持フラグ１１０１−ｉが示す値を確認する（Ｓ１０３）。保持フラグ１１０１−ｉが示す値が０である場合（Ｓ１０３でＮｏ）、ファイル管理部１２は、ファイル管理レコード１１０−ｉと、ファイルデータ１１１−ｉとを削除し（Ｓ１０５）、処理はＳ１１０へ進む。
【００３０】
保持フラグ１１０１−ｉが示す値が１である場合（Ｓ１０３でＹｅｓ）、ファイル管理部１２は、保持期間１１０２−ｉから１を減算する（Ｓ１０６）。保持期間１１０２−ｉが示す値が０より大きい場合（Ｓ１０７でＮｏ）、処理はＳ１１０へ進む。
【００３１】
保持期間１１０２−ｉが示す値が０以下である場合（Ｓ１０７でＹｅｓ）、ファイル管理部１２は、保持フラグ１１０１−ｉが示す値を０に更新する（Ｓ１０８）。ファイル管理部１２は、管理者１１０３−ｉが示す値を検索キーとして管理者メールアドレス管理テーブル１１２を参照することにより、管理者１１０３−ｉのメールアドレスを入手する。ファイル管理部１２は、当該メールアドレスに、ファイル識別子１１００−ｉで特定されるファイルデータが、次回の削除処理の際に削除される予定であることを通知する（Ｓ１０９）。
【００３２】
ｉがｍ未満の場合は、処理はｉに１を加算してＳ１０３に戻り、ｉがｍである場合は、全体の処理は終了する（Ｓ１１０）。
【００３３】
本実施形態には、保存されたファイルデータのうち、保持することを継続的に明示したファイルデータ意外を削除することにより、ファイルデータを保存する領域を自動で確実に確保することを可能とする効果がある。その理由は、ファイル管理部１２が、ファイルデータ１１１−１乃至１１１−ｍに関連するファイル管理レコード１１０−１乃至１１０−ｍを周期的に参照し、ファイル管理レコードにおける保持フラグが０である場合、当該保持フラグに関連するファイルデータを削除し、保持フラグが１、かつ、保持期間の値が０以下の場合は、当該保持フラグを０に更新するからである。
【００３４】
記憶部１１は、少なくとも所定の期間は保存することが必要なファイルデータから、テンポラリファイルとして作成されたファイルデータなど、様々なレベルのファイルデータを記憶している。ファイル記憶装置１０が、保存が不要なファイルを速やかに消去しないと、ファイル記憶装置１０が記憶可能な容量がすぐに逼迫する虞がある。
【００３５】
ファイル記憶装置１０が、ファイルデータ毎に保持フラグを備え、保存が必要なファイルデータの保持フラグを当該ファイルデータの管理者がセットし、保持フラグがセットされていないファイルデータをファイル管理部１２が周期的に削除することで、上述の問題をある程度まで解消することが可能である。
【００３６】
一般的に、ファイルデータを管理する管理者は、ファイルデータを保存する必要があるか否かについて明確でない場合、当該ファイルデータが削除されないように、とりあえず当該ファイルデータに関連する保持フラグをセットする場合が多い。この場合、しばらくして、当該ファイルデータを保存することが不要であると判明しても、ファイルデータを管理する管理者が、当該ファイルデータに関連する保持フラグをリセットすることを忘れることで、当該ファイルデータが長期間保存されてしまい、ファイル記憶装置１０が記憶可能な容量逼迫の原因となることも多い。
【００３７】
本実施形態では、ファイル管理部１２が、ファイル管理レコード１１０−１乃至１１０−ｍを参照するときに、保持期間が示す値が０以下の場合は保持フラグをリセットし、次回のファイル管理レコードを参照するときに、当該保持フラグに関連するファイルデータを削除する。したがって、本実施形態のファイル記憶装置１０は、上述のような保持フラグのリセットし忘れによる容量逼迫が発生することを回避することを可能とする。
【００３８】
本実施形態では、また、ファイル管理部１２が、保持フラグがリセットされたファイルデータを管理する管理者に対して、当該ファイルデータが次回の削除処理の際に削除される予定であることをメールで通知する。通知を受信したファイルデータを管理する管理者は、当該ファイルを延長して保存したい場合、当該ファイルに関連する保持フラグを再度セットすることにより、保持期間が示す値を再設定するといった対応が可能となる。したがって、本実施形態のファイル記憶装置１０は、保存が必要なファイルデータの管理者が知らないうちに、当該ファイルデータが削除されることを防止する効果もある。
【００３９】
尚、本実施形態のように、ファイル管理部１２がタイマ１２０を備えて、ファイルデータ１１１−１乃至１１１−ｍの削除処理を周期的に行うのではなく、ファイル記憶システム１を管理するシステム管理者がコマンド入力したことを契機として、ファイル管理部が削除処理を開始してもよい。
＜第二の実施形態＞
次に、本願発明の第２の実施形態について図面を参照して詳細に説明する。
【００４０】
図３は本願発明の第２の実施形態のファイル記憶装置１０の構成を示すブロック図である。
【００４１】
本実施形態のファイル記憶装置１０は、記憶部１１と、ファイル管理部１２と、を備えている。
【００４２】
記憶部１１は、ファイルデータ１１１−１乃至１１１−ｍと、当該ファイルデータを保存することを表す保持フラグ１１０１−１乃至１１０１−ｍとを関連付けて記憶する。
【００４３】
ファイル管理部１２は、所定の時刻に保持フラグ１１０１−１乃至１１０１−ｍが示す値を参照し、その結果、当該保持フラグがセットされていない場合、当該保持フラグに関連するファイルデータを削除し、当該保持フラグがセットされている場合、当該保持フラグをリセットする。
【００４４】
本実施形態には、第１の実施形態と同様に、保存されたファイルデータのうち、保持することを継続的に明示したファイルデータ意外を削除することにより、ファイルデータを保存する領域を自動で確実に確保することを可能とする効果がある。その理由は、ファイル管理部１２が、ファイルデータ１１１−１乃至１１１−ｍに関連する保持フラグ１１０１−１乃至１１０１−ｍを所定の時刻に参照し、保持フラグが０の場合は、当該保持フラグに関連するファイルデータを削除し、保持フラグが１の場合は、当該保持フラグを０に更新するからである。
【００４５】
上述した実施形態において図１、及び、図３に示した各部は、ソフトウェアプログラムの機能（処理）単位（ソフトウェアモジュール）と捉えることができる。但し、これらの図面に示した各部の区分けは、説明の便宜上の構成であり、実装に際しては、様々な構成が想定され得る。この場合のハードウェア環境の一例を、図４を参照して説明する。
【００４６】
図４は、本発明の模範的な実施形態に係るファイル記憶装置を実行可能な情報処理装置３００（コンピュータ）の構成を例示的に説明する図である。即ち、図４は、図１、及び、図３に示したファイル記憶装置を実現可能なサーバ等のコンピュータ（情報処理装置）の構成であって、上述した実施形態における各機能を実現可能なハードウェア環境を表す。
【００４７】
図４に示した情報処理装置３００は、ＣＰＵ３０１（Ｃｅｎｔｒａｌ＿Ｐｒｏｃｅｓｓｉｎｇ＿Ｕｎｉｔ）、ＲＯＭ３０２（Ｒｅａｄ＿Ｏｎｌｙ＿Ｍｅｍｏｒｙ）、ＲＡＭ３０３（Ｒａｎｄｏｍ＿Ａｃｃｅｓｓ＿Ｍｅｍｏｒｙ）、ハードディスク３０４（記憶装置）、並びに外部装置との通信インタフェース３０５（Ｉｎｔｅｒｆａｃｅ：以降、「Ｉ／Ｆ」と称する）、ＣＤ−ＲＯＭ（Ｃｏｍｐａｃｔ＿Ｄｉｓｃ＿Ｒｅａｄ＿Ｏｎｌｙ＿Ｍｅｍｏｒｙ）等の記憶媒体３０７に格納されたデータを読み書き可能なリーダライタ３０８を備え、これらの構成がバス３０６（通信線）を介して接続された一般的なコンピュータである。
【００４８】
そして、上述した実施形態を例に説明した本発明は、図４に示した情報処理装置３００に対して、その実施形態の説明において参照したブロック構成図（図１、及び、図３）或いはフローチャート（図２）の機能を実現可能なコンピュータプログラムを供給した後、そのコンピュータプログラムを、当該ハードウェアのＣＰＵ３０１に読み出して解釈し実行することによって達成される。また、当該装置内に供給されたコンピュータプログラムは、読み書き可能な揮発性の記憶メモリ（ＲＡＭ３０３）またはハードディスク３０４等の不揮発性の記憶デバイスに格納すれば良い。
【００４９】
また、前記の場合において、当該ハードウェア内へのコンピュータプログラムの供給方法は、ＣＤ−ＲＯＭ等の各種記憶媒体３０７を介して当該装置内にインストールする方法や、インターネット等の通信回線を介して外部よりダウンロードする方法等のように、現在では一般的な手順を採用することができる。そして、このような場合において、本発明は、係るコンピュータプログラムを構成するコード或いは、そのコードが格納された記憶媒体３０７によって構成されると捉えることができる。
【００５０】
以上、実施形態を参照して本願発明を説明したが、本願発明は上記実施形態に限定されたものではない。本願発明の構成や詳細には、本願発明のスコープ内で当業者が理解し得る様々な変更をすることができる。
【符号の説明】
【００５１】
１    ファイル記憶システム
１０    ファイル記憶装置
１１    記憶部
１１０−１乃至１１０−ｍ    ファイル管理レコード
１１００−１乃至１１００−ｍ    ファイル識別子
１１０１−１乃至１１０１−ｍ    保持フラグ
１１０２−１乃至１１０２−ｍ    保持期間
１１０３−１乃至１１０３−ｍ    管理者
１１１−１乃至１１１−ｍ    ファイルデータ
１１２    管理者メールアドレス管理テーブル
１２    ファイル管理部
１２０    タイマ
２０−１乃至２０−ｎ    クライアント端末装置
３００    情報処理装置
３０１    ＣＰＵ
３０２    ＲＯＭ
３０３    ＲＡＭ
３０４    ハードディスク
３０５    通信インタフェース
３０６    バス
３０７    記憶媒体
３０８    リーダライタ
【図１】
2014215789.tif 000003
【図２】
2014215789.tif 000004
【図３】
2014215789.tif 000005
【図４】
2014215789.tif 000006